(57)【要約】【課題】  メカニカルシャッタを用いて撮影を行う撮像装置において、露出精度を安定させること。【解決手段】  撮像素子（１４）と、後幕（６ａ）と、後幕を電磁力により走行前の初期位置に保持する後幕保持機構（７、８、９）を含むメカニカルシャッタと、後幕保持機構から所定範囲内に配置された後幕温度センサ（４０４）と、後幕保持機構から所定範囲外に配置された先幕温度センサ（４０３）と、被写体の明るさに応じて、撮像素子の露光時間を決定する決定手段（５０）と、後幕及び先幕温度センサにより検出された温度の温度差が予め設定された閾値よりも大きい場合に、決定手段により決定された露光時間を調整する調整手段（５０）と、温度差が閾値を超える場合に、調整手段により調整された露光時間に基づいて、撮像素子の露光制御を行う露光制御手段（５０、４０、１８）とを有する。【選択図】  図１
2008271133.tif 000002
【特許請求の範囲】
【請求項１】
被写体を撮影するための撮像素子と、
後幕と、前記後幕を電磁力により走行前の初期位置に保持する後幕保持機構を含むメカニカルシャッタと、
前記後幕保持機構から所定範囲内に配置された、温度を検出する第１の温度センサと、
前記後幕保持機構から所定範囲外に配置された、温度を検出する第２の温度センサと、
前記被写体の明るさに応じて、前記撮像素子の露光時間を決定する決定手段と、
前記第１の温度センサ及び前記第２の温度センサにより検出された温度の温度差が予め設定された閾値よりも大きい場合に、前記決定手段により決定された露光時間を調整する調整手段と、
前記温度差が前記閾値を超える場合に、前記調整手段により調整された露光時間に基づいて、前記撮像素子の露光制御を行う露光制御手段と
を有することを特徴とする撮像装置。
【請求項２】
前記メカニカルシャッタは、先幕と、前記先幕を電磁力により走行前の初期位置にそれぞれ保持する先幕保持機構を更に含み、
前記露光制御手段は、前記先幕と後幕の走行のタイミングを制御することにより前記撮像素子の露光制御を行うことを特徴とする請求項１に記載の撮像装置。
【請求項３】
前記第２の温度センサは、前記先幕保持機構から所定範囲内に配置されていることを特徴とする請求項２に記載の撮像装置。
【請求項４】
前記露光制御手段は、前記撮像素子をリセットするタイミングと、前記後幕の走行のタイミングとを制御することにより、前記撮像素子の露光制御を行うことを特徴とする請求項１に記載の撮像装置。
【請求項５】
前記温度差は、前記撮像素子の電子先幕調整時に前記第２の温度センサにより検出された温度と、撮影が指示された時に前記第１の温度センサにより検出された温度との温度差であることを特徴とする請求項４に記載の撮像装置。
【請求項６】
前記調整手段は、前記温度差が前記閾値よりも大きい場合に、前記温度差に比例して、前記露光時間を長くすることを特徴とする請求項１乃至５のいずれか１項に記載の撮像装置。
【請求項７】
被写体を撮影して、電気信号を出力する撮像素子と、
後幕と、前記後幕を電磁力により走行前の初期位置に保持する後幕保持機構を含むメカニカルシャッタと、
前記後幕保持機構から所定範囲内に配置された、温度を検出する第１の温度センサと、
前記後幕保持機構から所定範囲外に配置された、温度を検出する第２の温度センサと、
前記撮像素子から出力された電気信号に、予め決められたゲイン値を用いてゲイン補正する画像処理回路と、
前記第１の温度センサ及び前記第２の温度センサにより検出された温度の温度差が予め設定された閾値よりも大きい場合に、前記画像処理回路で用いられる前記ゲイン値を前記温度差に応じて調整する調整手段と
を有することを特徴とする撮像装置。
【請求項８】
前記メカニカルシャッタは、先幕と、前記先幕を電磁力により走行前の初期位置にそれぞれ保持する先幕保持機構を更に含み、前記第２の温度センサは、前記先幕保持機構から所定範囲内に配置されていることを特徴とする請求項７に記載の撮像装置。
【請求項９】
前記撮像素子をリセットするタイミングと、前記後幕の走行のタイミングとを制御することにより、前記撮像素子の露光制御を行い、
前記温度差は、前記撮像素子の電子先幕調整時に前記第２の温度センサにより検出された温度と、撮影が指示された時に前記第１の温度センサにより検出された温度との温度差であることを特徴とする請求項７に記載の撮像装置。
【請求項１０】
前記調整手段は、前記温度差が前記閾値よりも大きい場合に、前記温度差に比例して、前記ゲイン値を大きくすることを特徴とする請求項７乃至９のいずれか１項に記載の撮像装置。
【請求項１１】
被写体を撮影するための撮像素子と、後幕と、前記後幕を電磁力により走行前の初期位置に保持する後幕保持機構を含むメカニカルシャッタと、前記後幕保持機構から所定範囲内に配置された、温度を検出する第１の温度センサと、前記後幕保持機構から所定範囲外に配置された、温度を検出する第２の温度センサとを有する撮像装置の制御方法であって、
前記被写体の明るさに応じて、前記撮像素子の露光時間を決定する決定工程と、
前記第１の温度センサ及び前記第２の温度センサにより検出された温度の温度差が予め設定された閾値よりも大きい場合に、前記決定工程で決定された露光時間を調整する調整工程と、
前記温度差が前記閾値を超える場合に、前記調整工程で調整された露光時間に基づいて、前記撮像素子の露光制御を行う露光制御工程と
を有することを特徴とする制御方法。
【請求項１２】
被写体を撮影して、電気信号を出力する撮像素子と、後幕と、前記後幕を電磁力により走行前の初期位置に保持する後幕保持機構を含むメカニカルシャッタと、前記後幕保持機構から所定範囲内に配置された、温度を検出する第１の温度センサと、前記後幕保持機構から所定範囲外に配置された、温度を検出する第２の温度センサとを有する撮像装置の制御方法であって、
前記撮像素子から出力された電気信号に、予め決められたゲイン値を用いてゲイン補正するゲイン補正工程と、
前記第１の温度センサ及び前記第２の温度センサにより検出された温度の温度差が予め設定された閾値よりも大きい場合に、前記ゲイン補正工程に先だって前記ゲイン値を前記温度差に応じて調整する調整工程と
を有することを特徴とする制御方法。
【発明の詳細な説明】
【技術分野】
【０００１】
本発明は、撮像装置及びその制御方法に関し、更に詳しくは、メカニカルシャッタを有する撮像装置及びその制御方法に関する。
【背景技術】
【０００２】
従来、シャッタチャージ状態にて、シャッタの先幕及び後幕のそれぞれに対応した電磁石に通電することによりその状態を保持し、順次、電磁石の通電を解除することで露光を行うダイレクト保持タイプのフォーカルプレーンシャッタが知られている。（例えば、特許文献１参照。）
【０００３】
このダイレクト保持タイプのフォーカルプレーンシャッタにおいて、電磁石への通電電圧を変化させて、電力低減を図るものが特許文献２に記載されている。
【０００４】
また、電磁駆動シャッタにおいて、温度検出装置をシャッタ羽根駆動コイルの温度を検出可能な適所に配置して、基準電圧発生回路に接続し、温度変化に応じて基準電圧を補正することで露光時間を適正に制御できるようにしたものが特許文献３に提案されている。
【０００５】
また、ＣＣＤやＣＭＯＳセンサ等の撮像素子を備えるカメラにおいて、先幕がシャッタ開口を開いた状態で後幕を保持することで、ＬＣＤ等のモニタで被写体を観察することが特許文献４及び特許文献５に開示されている。なお、この機能を以下「電子ビューファインダ（ＥＶＦ）」と呼び、ＥＶＦに表示されている画像を「ライブビュー」と呼ぶ。
【０００６】
【特許文献１】実公平６−２６８９５号公報
【特許文献２】特開２００５−２８３８９７号公報
【特許文献３】特開昭５８−１４９０２７号公報
【特許文献４】特開２００１−２１５５５５号公報
【特許文献５】特開２００１−２３２２０号公報
【発明の開示】
【発明が解決しようとする課題】
【０００７】
しかしながら、特許文献４、特許文献５で開示されたようなＥＶＦを有する撮像装置において、特許文献１に開示されているようなフォーカルプレーンシャッタを用いると、以下のような問題が生じる。即ち、モニタ表示中は後幕保持電磁石に通電し続けなければならず、電力を無駄に消費してしまうだけでなく、電磁石の発熱により電磁石の離反タイミングが変化してしまい、露出精度が落ちてしまう。また、バルブ撮影に代表される長秒時露光においても同様の理由により露出精度が悪化する。
【０００８】
また、特許文献２に開示されているようなフォーカルプレーンシャッタを用いると、電磁石の発熱は抑えられるが、電磁石の電圧を切り替えるために専用の回路を設ける必要がありコストが高くなるという課題がある。また、高速秒時撮影においては、電圧を切り替える時間的余裕が少ないため、実際に特許文献２を適用できるのは低速秒時においてのみである。
【０００９】
さらに、特許文献３に開示されているような電磁駆動シャッタにおいては、シャッタ羽根駆動コイルの温度を検出することでコイルの発熱による影響を考慮して、電圧補正により露出精度を安定させることはできる。しかしながら、やはり、電圧を補正するに専用の回路を設ける必要がありコストが高くなるという課題が残る。また、高速秒時撮影においては、電圧を切り替える時間的余裕が少ないため、実際に特許文献３を適用できるのは低速秒時においてのみという課題も残る。
【００１０】
本発明は上記問題点を鑑みてなされたものであり、メカニカルシャッタを用いて撮影を行う撮像装置において、露出精度を安定させることを目的とする。
【課題を解決するための手段】
【００１１】
上記目的を達成するために、本発明の撮像装置は、被写体を撮影するための撮像素子と、後幕と、前記後幕を電磁力により走行前の初期位置に保持する後幕保持機構を含むメカニカルシャッタと、前記後幕保持機構から所定範囲内に配置された、温度を検出する第１の温度センサと、前記後幕保持機構から所定範囲外に配置された、温度を検出する第２の温度センサと、前記被写体の明るさに応じて、前記撮像素子の露光時間を決定する決定手段と、前記第１の温度センサ及び前記第２の温度センサにより検出された温度の温度差が予め設定された閾値よりも大きい場合に、前記決定手段により決定された露光時間を調整する調整手段と、前記温度差が前記閾値を超える場合に、前記調整手段により調整された露光時間に基づいて、前記撮像素子の露光制御を行う露光制御手段とを有する。
【００１２】
また、被写体を撮影するための撮像素子と、後幕と、前記後幕を電磁力により走行前の初期位置に保持する後幕保持機構を含むメカニカルシャッタと、前記後幕保持機構から所定範囲内に配置された、温度を検出する第１の温度センサと、前記後幕保持機構から所定範囲外に配置された、温度を検出する第２の温度センサとを有する撮像装置の本発明の制御方法は、前記被写体の明るさに応じて、前記撮像素子の露光時間を決定する決定工程と、前記第１の温度センサ及び前記第２の温度センサにより検出された温度の温度差が予め設定された閾値よりも大きい場合に、前記決定工程で決定された露光時間を調整する調整工程と、前記温度差が前記閾値を超える場合に、前記調整工程で調整された露光時間に基づいて、前記撮像素子の露光制御を行う露光制御工程とを有する。
【００１３】
また、別の構成によれば、本発明の撮像装置は、被写体を撮影して、電気信号を出力する撮像素子と、後幕と、前記後幕を電磁力により走行前の初期位置に保持する後幕保持機構を含むメカニカルシャッタと、前記後幕保持機構から所定範囲内に配置された、温度を検出する第１の温度センサと、前記後幕保持機構から所定範囲外に配置された、温度を検出する第２の温度センサと、前記撮像素子から出力された電気信号に、予め決められたゲイン値を用いてゲイン補正する画像処理回路と、前記第１の温度センサ及び前記第２の温度センサにより検出された温度の温度差が予め設定された閾値よりも大きい場合に、前記画像処理回路で用いられる前記ゲイン値を前記温度差に応じて調整する調整手段とを有する。
【００１４】
また、被写体を撮影して、電気信号を出力する撮像素子と、後幕と、前記後幕を電磁力により走行前の初期位置に保持する後幕保持機構を含むメカニカルシャッタと、前記後幕保持機構から所定範囲内に配置された、温度を検出する第１の温度センサと、前記後幕保持機構から所定範囲外に配置された、温度を検出する第２の温度センサとを有する撮像装置の制御方法は、前記撮像素子から出力された電気信号に、予め決められたゲイン値を用いてゲイン補正するゲイン補正工程と、前記第１の温度センサ及び前記第２の温度センサにより検出された温度の温度差が予め設定された閾値よりも大きい場合に、前記ゲイン補正工程に先だって前記ゲイン値を前記温度差に応じて調整する調整工程とを有する。
【発明の効果】
【００１５】
メカニカルシャッタを用いて撮影を行う撮像装置において、露出精度を安定させることができる。
【発明を実施するための最良の形態】
【００１６】
以下、添付図面を参照して本発明を実施するための最良の形態を詳細に説明する。ただし、本形態において例示される構成部品の寸法、形状、それらの相対配置などは、本発明が適用される装置の構成や各種条件により適宜変更されるべきものであり、本発明がそれらの例示に限定されるものではない。
【００１７】
●撮像システムの構成
図１は、本発明の実施の形態における撮像システムの概略構成を示すブロック図である。図１に示すように、本実施の形態の撮像システムは、主にカメラ本体１００と、交換レンズタイプのレンズユニット３００により構成されている。
【００１８】
カメラ本体１００には、図１に示すように、カメラ本体１００に着脱自在であって、焦点距離可変機構および焦点合わせ機構（不図示）を有する交換レンズタイプのレンズユニット３００が取り付けられている。
【００１９】
レンズユニット３００において、３１０は光学レンズ、３１２は絞りである。３０６はレンズユニット３００をカメラ本体１００と機械的に結合するレンズマウントであり、レンズマウント３０６と、後述するカメラ本体１００のカメラマウント１０６とは、例えばフランジ形状等の互いに結合可能な形状をしている。このレンズマウント３０６とカメラマウント１０６が結合することにより、カメラ本体１００にレンズユニット３００が装着される。
【００２０】
また、レンズユニット３００のレンズ信号接点３２２がカメラ本体１００のカメラ信号接点１２２と接触することで、レンズユニット３００とカメラ本体１００は電気的に接続される。レンズ信号接点３２２は、カメラ本体１００とレンズユニット３００との間で制御信号、状態信号、データ信号などを伝え合うと共に、各種電圧の電流を供給されるあるいは供給する機能も備えている。また、レンズ信号接点３２２は電気通信のみならず、光通信、音声通信などを伝達する構成としても良い。
【００２１】
３４０は、後述する測光制御部４６からの測光情報に基づいて、後述するカメラ本体１００のシャッタ１２を制御するシャッタ制御部４０と連携しながら、絞り３１２を制御する絞り制御部である。３４２は焦点調節動作のために光学レンズ３１０の焦点距離可変機構の制御をするフォーカス制御部である。
【００２２】
３５０はレンズユニット３００全体を制御するレンズシステム制御回路である。レンズシステム制御回路３５０は、動作用の定数、変数、プログラムなどを記憶するメモリを備えている。更に、レンズユニット３００固有の番号などの識別情報、管理情報、開放絞り値や最小絞り値、焦点距離などの機能情報、現在や過去の各設定値などを保持する不揮発メモリも備えている。
【００２３】
絞り制御部３４０、フォーカス制御部３４２、レンズシステム制御回路３５０は、Ｉ／Ｆ３２０及びレンズ信号接点３２２を介して、カメラ本体１００と相互に通信を行うことができる。カメラ本体１００では、レンズ着脱検知回路１２４によりレンズユニット３００の着脱が検知される。
【００２４】
次に、カメラ本体１００の構成について説明する。
【００２５】
１０６はカメラ本体１００とレンズユニット３００を機械的に結合するレンズマウント、１２４はレンズ着脱検知回路であり、レンズ着脱検知回路１２４によりレンズユニット３００の着脱が検知され、検知信号が後述するシステム制御回路５０に入力される。１３０、１３２はミラーで、光学レンズ３１０に入射した光線を一眼レフ方式によって光学ファインダ１０４に導く。なお、ミラー１３０は回転可能に配設されたクイックリターンミラーの構成としても、ハーフミラーの構成としても、どちらでも構わないが、ここではクイックリターンミラーであるものとして説明する。クイックリターンミラー１３０は、ミラーダウン状態（図１の状態）で光学レンズ３１０を通過した光（以下、「入射光」と呼ぶ。）を上方へ反射する。そして、入射光はミラー１３２を介して被写体像を確認するための光学ファインダ１０４へと導かれる。なお、ミラー１３２の代わりに、ペンタプリズムにより構成しても良い。
【００２６】
また、ミラーアップ状態（不図示）では、入射光はクイックリターンミラー１３０に反射されることなく、シャッタ制御部４０によって制御されるメカシャッタ１２を介して撮像素子１４の方へと導かれる。このように、クイックリターンミラー１３０は入射光の経路を切り替える働きをする。なお、ミラー１３０を固定式のハーフミラーで構成した場合、入射光は分光されて、ミラー１３２と撮像素子１４の方へそれぞれ導かれる。また、メカニカルシャッタ（以下、「メカシャッタ」と呼ぶ。）１２は、本実施の形態では、先幕と後幕とを備えたフォーカルプレレーンシャッタとする。
【００２７】
撮像素子１４は、その撮像面に結像された光学像を電荷に変換し、対応する電気信号を出力する。撮像素子１４は、変換された電荷をリセットするリセット走査により電子的に先幕を構成することができる。以下、リセット走査による先幕を「電子先幕」呼び、メカシャッタ１２の先幕及び後幕を、単に「先幕」及び「後幕」、または「メカ先幕」及び「メカ後幕」と呼ぶ。
【００２８】
１６は、撮像素子１４から出力されるアナログ信号をデジタル信号（以下、「画像データ」と呼ぶ。）に変換するＡ／Ｄ変換器である。１８は撮像素子１４、Ａ／Ｄ変換器１６、Ｄ／Ａ変換器２６にそれぞれクロック信号や制御信号を供給するタイミング発生回路であり、メモリ制御回路２２及びシステム制御回路５０により制御される。
【００２９】
撮像素子１４から出力された電気信号は、Ａ／Ｄ変換器１６により画像データに変換された後に、画像処理回路２０またはメモリ制御回路２２に入力される。画像処理回路２０は、Ａ／Ｄ変換器１６からの画像データまたはメモリ制御回路２２からの画像データに対して、例えば、ゲイン補正や、画素補間処理、色変換処理等の所定の画像処理を施す。
【００３０】
メモリ制御回路２２は、Ａ／Ｄ変換器１６、タイミング発生回路１８、画像処理回路２０、画像表示メモリ２４、Ｄ／Ａ変換器２６、メモリ３０、圧縮伸長回路３２を制御する。また、メモリ制御回路２２は、Ａ／Ｄ変換器１６から直接入力された画像データをメモリ３０または画像表示メモリ２４に書き込む処理を行うとともに、メモリ３０または画像表示メモリ２４から画像データを読み出す処理を行う。
【００３１】
２４は画像表示メモリ、２８はＴＦＴ方式のＬＣＤ等から成る画像表示部であり、画像表示メモリ２４には画像表示部２８に表示するための画像データが書き込まれる。そしてこの表示用の画像データを画像表示メモリ２４から読み出し、Ｄ／Ａ変換器２６を介して画像表示部２８に表示する。画像表示部２８を用いて、撮像した画像データを逐次表示することで、電子ビューファインダ（ＥＶＦ）を実現することができる。また、画像表示部２８は、システム制御回路５０の指示により任意に表示をＯＮ／ＯＦＦすることが可能であり、表示をＯＦＦにした場合にはカメラ本体１００の電力消費を大幅に低減することができる。
【００３２】
メモリ３０は撮像した画像データを格納するためのメモリであり、所定枚数の画像データを格納可能な十分な記憶容量を有し、また、システム制御回路５０の作業領域としても使用される。
【００３３】
３２は適応離散コサイン変換（ＡＤＣＴ）等、公知の圧縮方法を用いて画像データを圧縮伸長する圧縮伸長回路である。圧縮伸長回路３２は、メモリ３０に格納された画像を読み込んで圧縮処理或いは伸長処理を行い、処理を終えたデータを再びメモリ３０に書き込む。
【００３４】
５０はカメラ本体１００全体を制御するシステム制御回路であり、周知のＣＰＵなどを内蔵する。システム制御回路５０は、メモリ５２に格納されているプログラム、定数および変数データなどに従いカメラ本体１００全体を制御する。
【００３５】
このシステム制御回路５０による制御の１つに、スルー・ザ・レンズ（ＴＴＬ）のオートフォーカス（ＡＦ）処理、自動露出（ＡＥ）処理、フラッシュプリ発光（ＥＦ）処理の各処理に用いられる制御信号を生成するものがある。この制御により生成された各制御信号はシャッタ制御部４０、焦点調節部４２、測光制御部４６、フラッシュ４８に供給される。
【００３６】
焦点調節部４２は、システム制御回路５０からの制御信号に基づき、被写体像を合焦させるための信号を発生する。そして、この信号がシステム制御回路５０、Ｉ／Ｆ１２０、各信号接点１２２、３２２、Ｉ／Ｆ３２０を介してフォーカス制御部３４２に送られ、合焦状態になるように光学レンズ３１０の焦点合わせ機構を駆動する。
【００３７】
測光制御部４６は、入射光の強さ（撮影する被写体の明るさ）を測定する。システム制御回路５０は測光制御部４６により測定された測光値を基に露光時間と絞り値を決定し、各制御信号をシャッタ制御部４０と絞り制御部３４０に送信する。このように、システム制御回路５０が決定手段として機能する。このシステム制御回路５０からの制御信号に基づいて、シャッタ制御部４０がメカシャッタ１２による露光時間を調整し、絞り制御部３４０が絞り３１２を制御することにより、露光量が制御される。更に、電子シャッタを用いて露光量を制御する場合には、タイミング発生回路１８を制御して撮像素子１４をリセット走査する。即ち、システム制御回路５０、シャッタ制御部４０、タイミング発生回路１８により露光制御手段が構成される。
【００３８】
フラッシュ４８は、ＡＦ補助光の投光機能、フラッシュ調光機能を有し、システム制御回路５０からの制御信号に基づいて対応する光量のフラッシュ光を発光する。
【００３９】
また、システム制御回路５０は、設定された撮影モードや動作状態などの情報や、メッセージを通知部５４を介して通知するための制御を行う。この通知部５４は、文字、画像、音声などを用いて動作状態やメッセージなどを通知できるように、液晶表示装置（ＬＣＤ）、発音素子、発光ダイオード（ＬＥＤ）などのうち、１つ以上の組み合わせにより構成されている。また、通知部５４の一部は光学ファインダ１０４内に組み込まれている。
【００４０】
通知部５４のうち、ＬＣＤに表示される内容としては、以下のものがある。まず、単写／連写撮影表示、セルフタイマ表示等、撮影モードに関する表示がある。また、圧縮率表示、記録画素数表示、記録枚数表示、残撮影可能枚数表示等の記録に関する表示がある。また、シャッタスピード表示、絞り値表示、露出補正表示、フラッシュ表示、赤目緩和表示等の撮影条件に関する表示がある。その他に、マクロ撮影表示、ブザー設定表示、時計用電池残量表示、電池残量表示、エラー表示、複数桁の数字による情報表示、記録媒体２００及び２１０の着脱状態表示がある。更に、レンズユニット３００の着脱状態表示、通信Ｉ／Ｆ動作表示、日付・時刻表示、外部コンピュータとの接続状態を示す表示等も行われる。
【００４１】
また、通知部５４の表示内容のうち、光学ファインダ１０４内に表示するものとしては、例えば、以下のものがある。合焦表示、撮影準備完了表示、手振れ警告表示、フラッシュ充電表示、フラッシュ充電完了表示、シャッタスピード表示、絞り値表示、露出補正表示、記録媒体書き込み動作表示等である。
【００４２】
さらに、通知部５４の表示内容のうち、ＬＥＤ等により表示するものとしては、例えば、以下のものがある。合焦表示、撮影準備完了表示、手振れ警告表示、フラッシュ充電表示、フラッシュ充電完了表示、記録媒体書き込み動作表示、マクロ撮影設定通知表示、二次電池充電表示等である。
【００４３】
また、通知部５４の表示内容のうち、ランプ等に表示するものとしては、例えば、セルフタイマ通知ランプ等がある。このセルフタイマ通知ランプはＡＦ補助光と共用してもよい。
【００４４】
さらに、システム制御回路５０は、通信部１１０を介して外部装置との間で画像データを送受するための制御を行う。この通信部１１０は、ＲＳ２３２Ｃ、ＵＳＢ、ＩＥＥＥ１３９４、ＳＣＳＩ、ＬＡＮ、モデム、無線通信などによる通信機能を有し、通信部１１０には外部装置を接続するためのコネクタ（無線通信の場合にはアンテナ）１１２が備えられている。
【００４５】
システム制御回路５０に対する動作指示の入力には、モードダイアル６０、シャッタスイッチ６２、操作部７０、電源スイッチ７２が用いられる。
【００４６】
６０はモードダイアルで、自動撮影モード、プログラム撮影モード、シャッタ速度優先撮影モード、絞り優先撮影モード、マニュアル撮影モード、焦点深度優先（デプス）撮影モード等の各機能撮影モードを切り替え設定することができる。他に、ポートレート撮影モード、風景撮影モード、接写撮影モード、スポーツ撮影モード、夜景撮影モード、パノラマ撮影モードなどの各機能撮影モードを切り替え設定することもできる。
【００４７】
シャッタスイッチ６２はスイッチＳＷ１とスイッチＳＷ２とからなる多段スイッチである。シャッタスイッチ６２を所定量押し下げると（例えば半押し）スイッチＳＷ１がオン動作し、さらにシャッタスイッチ６２を押し下げると（例えば全押し）スイッチＳＷ２がオン動作する。スイッチＳＷ１のオン動作により、ＡＦ処理、ＡＥ処理、ＥＦ処理などの開始を指示する信号が出力される。また、スイッチＳＷ２のオン動作により撮像素子１４から読み出した信号を画像データとして記録媒体２００、２１０に書き込むまでの、露光処理、現像処理、及び記録処理からなる一連の撮影動作の開始を指示する信号が出力される。まず、露光処理では、クイックリターンミラー１３０をアップし、メカシャッタ１２を駆動し、撮像素子１４において光電変換された信号を読み出し、読み出した信号をＡ／Ｄ変換器１６、メモリ制御回路２２を介して画像データをメモリ３０に書き込む。そして、現像処理では画像処理回路２０やメモリ制御回路２２において演算を用いた現像処理を行い、処理した画像データを再びメモリ３０に書き込む。更に、記録処理では、メモリ３０から画像データを読み出し、圧縮伸長回路３２で圧縮を行い、圧縮後の画像データを記録媒体２００あるいは２１０に書き込む。
【００４８】
操作部７０は、各種ボタンやダイアルなどから構成されている。一例として、メニューボタン、セットボタン、再生ボタン、消去ボタン、ジャンプボタン、露出補正ボタン、単写／連写モード切替ボタン、測光モード切替ボタンを含む。更に、ＡＦモード切替ボタン、ＷＢモード切替ボタン、ＩＳＯ感度設定ボタン、メイン電子ダイアル、サブ電子ダイアル、ＥＶＦをＯＮ／ＯＦＦするためのライブビューモードボタンなども設けられている。ここで、例えばメニューボタンが押下されると、通知部５４や画像表示部２８に設定画面が表示され、この設定画面上で上記ボタン等を用いて設定する項目を選択することができる。
【００４９】
また、本実施の形態では、設定画面において、後述する通常撮影モード、電子先幕撮影モード、メカ先幕・メカ後幕モードのいずれかを選択、設定することができる。
【００５０】
モードダイアル６０や操作部７０などで設定された変数、モードなどは、ＥＥＰＲＯＭなどからなる不揮発性メモリ５６に格納される。
【００５１】
また、操作部７０に含まれる標準設定状態設定部を操作することで、使用者が所望の設定状態（撮影モード、露出補正値、単写／連写モード、測光モード、ＡＦモード、ＷＢモード、ＩＳＯ感度等の設定状態）を標準設定状態として設定することができる。このカメラの標準設定状態データは、不揮発性メモリ５６に格納される。
【００５２】
７２は電源スイッチであり、カメラ本体１００の電源オン、電源オフの各モードを切り替え設定することができる。また、カメラ本体１００に接続されたレンズユニット３００、外部フラッシュ、記録媒体２００、２１０等の各種付属装置の電源オン、電源オフの設定も合わせて切り替え設定可能である。
【００５３】
システム制御回路５０には、電源制御部８０から電力が供給される。電源制御部８０はシステム制御回路５０からの指示に基づき電源８６からの電力を各部へ供給する。電源制御部８０と電源８６とは、接点８２、８４を介して接続されている。電源８６としては、例えば、アルカリ電池等の一次電池、リチウムイオン電池やニッケル水素電池等の二次電池、ＡＣアダプタなどを使用することができる。
【００５４】
メモリ３０に書き込まれた画像データ（圧縮後の画像データ）は、各インターフェース（Ｉ／Ｆ）９０、９４およびコネクタ９２、９６を介して接続される記録媒体２００、２１０に書き込まれる。
【００５５】
記録媒体２００、２１０は、メモリカードやハードディスク等の記録媒体である。この記録媒体２００及び２１０は、それぞれ、半導体メモリや磁気ディスク等から構成される記録部２０２及び２１２、カメラ本体１００とのインターフェース２０４及び２１４、カメラ本体１００と接続を行うコネクタ２０６及び２１６を備えている。
【００５６】
なお、本実施の形態では、２つの記録媒体２００、２１０を装着可能に構成しているが、これに限定されることはなく、１つまたは３つ以上の記録媒体を装着可能に構成しても良い。
【００５７】
なお、本実施の形態における撮像装置として、レンズ交換式の一眼レフタイプのデジタルカメラであるものとして説明したが、レンズや鏡筒が本体と一体化されたカメラであってもよい。
【００５８】
●メカシャッタの構成
次に、メカシャッタ１２の構成について図２〜図６を参照しながら説明する。図２〜図６は、いずれもメカシャッタ１２がカメラ本体１００に組み込まれた状態において、被写体側から見た略左半分を示した平面図である。図２はオーバーチャージ状態、すなわち、後述するチャージレバーによって先幕と後幕がチャージされた状態を示している。また、図３は後述するヨークとコイルによって先幕と後幕が電磁力により初期位置に保持されている走行前待機状態、図４は先幕走行完了状態、図５は後幕走行完了状態を示している。
【００５９】
図２〜図５において、１はシャッタ地板であり、先幕羽根群２ａおよび後幕羽根群６ａ（図５）の駆動機構を構成する各部品が取り付けられている。１ａは被写体光束が通過するアパーチャであり、シャッタ地板１に形成されている。
【００６０】
シャッタ地板１の表面に設けられた先幕軸１ｂには、先幕駆動レバー（駆動部材）２が回動可能に支持されている。先幕軸１ｂの外周にはねじりコイルバネ（不図示）が配置されており、このねじりコイルバネは先幕駆動レバー２を図２中の時計回り方向（先幕羽根群２ａを走行させる方向）に付勢している。
【００６１】
先幕駆動レバー２の先端部には先幕駆動ピン（不図示）が形成されており、先幕駆動ピンはシャッタ地板１に形成された先幕溝部１ｃを貫通して不図示の先幕駆動アームと係合している。先幕駆動アームは、リンク機構を介して先幕羽根群２ａと連結している。先幕羽根群２ａは複数のシャッタ羽根で構成されている。
【００６２】
先幕駆動レバー２の回動によって先幕駆動ピンが先幕溝部１ｃに沿って移動すると、先幕駆動アームが回動して先幕羽根群２ａを展開させたり、重畳させたりする。なお、先幕駆動レバー２は、先幕溝部１ｃによって回動範囲が制限されている。
【００６３】
また、先幕駆動レバー２には先幕アマチャ支持部２ｂが設けられている。先幕アマチャ支持部２ｂに形成された不図示の貫通孔部には、貫通孔部の内径よりも大きなフランジ部を有し、先幕アマチャ３に対して一体的に取り付けられた先幕アマチャ軸３ａが係合している。先幕アマチャ軸３ａは、先幕アマチャ３の吸着面に対して略直交方向に延びている。
【００６４】
先幕アマチャ３と先幕アマチャ支持部２ｂの間であって、先幕アマチャ軸３ａの外周には、圧縮バネ（不図示）が配置されており、先幕アマチャ３およびアマチャ支持部２ｂを互いに離す方向（図２の上下方向）に付勢している。
【００６５】
３ｂは弾性変形可能な先幕衝撃吸収ゴム（衝撃吸収部材）であり、先幕アマチャ支持部２ｂと先幕アマチャ軸３ａとの間であって、先幕アマチャ軸３ａの長手方向と略直交する面内に配置されている。先幕衝撃吸収ゴム３ｂは、オーバーチャージ状態から走行開始状態に移行する際に先幕アマチャ支持部２ｂが先幕アマチャ軸３ａに直接突き当たるのを阻止し、弾性変形する。これにより先幕アマチャ支持部２ｂから先幕アマチャ軸３ａに加わる衝撃を吸収する。
【００６６】
４は先幕ヨーク（電磁部材）、５は先幕ヨーク４の外周に設けられた先幕コイル（電磁部材）である。先幕コイル５に電圧を印加すると、先幕ヨーク４に磁力を発生させることができ、この磁力によって先幕アマチャ３を吸着する。これにより、図２に示すオーバーチャージ後にチャージレバー１０が反時計回りに回動した後も、先幕羽根群２ａによりアパーチャ１を遮蔽する初期位置（図３の走行前待機状態）に保つことができる。このように、先幕アマチャ３、先幕ヨーク４、先幕コイル５からなる先幕保持機構により、先幕羽根群２ａ（先幕）を初期位置に保持することができる。
【００６７】
シャッタ地板１の表面に設けられた後幕軸１ｄには、後幕駆動レバー（駆動部材）６が回動可能に支持されている。後幕軸１ｄの外周にはねじりコイルバネ（不図示）が配置されており、このねじりコイルバネは後幕駆動レバー６を図２中の時計回り方向（後幕羽根群を走行させる方向）に付勢している。
【００６８】
後幕駆動レバー６の先端部には後幕駆動ピン（不図示）が形成されており、後幕駆動ピンはシャッタ地板１に形成された後幕溝部１ｅを貫通して不図示の後幕駆動アームと係合している。後幕駆動アームは、リンク機構を介して後幕羽根群６ａ（図２〜４では重畳状態にある）と連結している。後幕羽根群６ａは複数のシャッタ羽根で構成されている。
【００６９】
後幕駆動レバー６の回動によって後幕駆動ピンが後幕溝部１ｅに沿って移動すると、後幕駆動アームが回動して後幕羽根群６ａを展開させたり、重畳させたりする。上述した先幕羽根群２ａの動作と、この後幕羽根群６ａの動作とによって、アパーチャ１ａを開き状態（被写体光束を通過させる状態）にしたり、閉じ状態（被写体光束を概ね遮断する状態）にしたりすることができる。なお、後幕駆動レバー６は、後幕溝部１ｅによって回動範囲が制限されている。
【００７０】
また、後幕駆動レバー６には後幕アマチャ支持部６ｂが設けられている。後幕アマチャ支持部６ｂに形成された不図示の貫通孔部には、貫通孔部の内径よりも大きなフランジ部を有し、後幕アマチャ７に対して一体的に取り付けられた後幕アマチャ軸７ａが係合している。後幕アマチャ軸７ａは、後幕アマチャ７の吸着面に対して略直交方向に延びている。
【００７１】
後幕アマチャ７と後幕アマチャ支持部６ｂの間であって、後幕アマチャ軸７ａの外周には、圧縮バネ（不図示）が配置されており、後幕アマチャ７および後幕アマチャ支持部６ｂを互いに離す方向（図２の上下方向）に付勢している。
【００７２】
７ｂは弾性変形可能な後幕衝撃吸収ゴムであり、後幕アマチャ支持部６ｂと後幕アマチャ軸７ａとの間であって、後幕アマチャ軸７ａの長手方向と略直交する面内に配置されている。後幕衝撃吸収ゴム７ｂは、オーバーチャージ状態から走行開始状態に移行する際に後幕アマチャ支持部６ｂが後幕アマチャ軸７ａに直接突き当たるのを阻止し、弾性変形することによって後幕アマチャ支持部６ｂから後幕アマチャ軸７ａに加わる衝撃を吸収する。
【００７３】
８は後幕ヨーク（電磁部材）、９は後幕ヨーク８の外周に設けられた後幕コイル（電磁部材）である。後幕コイル９に電圧を印加すると、後幕ヨーク８に磁力を発生させることができ、この磁力によって後幕アマチャ７を吸着する。これにより、図２に示すオーバーチャージ後にチャージレバー１０が反時計回りに回動した後も、後幕羽根群６ａがアパーチャ１を開放する初期位置（図３の走行前待機状態）に保つことができる。このように、後幕アマチャ７、後幕ヨーク８、後幕コイル９からなる後幕保持機構により、後幕羽根群６ａ（後幕）を初期位置に保持することができる。
【００７４】
１０はチャージレバーであり、シャッタ地板１に設けられたチャージレバー軸１ｆによって回動可能に支持されている。チャージレバー１０は、チャージピン１０ａを介して不図示の駆動レバー部材に連結されており、この駆動レバー部材は駆動源からの駆動力を受けて回動する。
【００７５】
チャージレバー１０に形成されたカム部１０ｂは、チャージレバー１０の回動に応じて、先幕駆動レバー２に設けられた先幕チャージコロ２ｃに当接して、先幕駆動レバー２を回動させる。具体的には、チャージレバー１０のカム部１０ｂは、図４に示すように先幕羽根群２ａの走行を完了させた状態にある（先幕羽根群２ａを重畳状態とさせたときの）先幕駆動レバー２を、反時計回り方向に回動させる。これによって、図３に示す走行前待機状態を経て、図２に示すオーバーチャージ状態にする。
【００７６】
チャージレバー１０に形成されたカム部１０ｃは、チャージレバー１０の回動に応じて、後幕駆動レバー６に設けられた後幕チャージコロ６ｃに当接して、後幕駆動レバー６を回動させる。具体的には、チャージレバー１０のカム部１０ｃは、図５に示すように後幕羽根群６ａの走行を完了させた状態にある（後幕羽根群６ａを展開状態とさせたときの）後幕駆動レバー６を、反時計回り方向に回動させる。これによって、図３に示す走行前待機状態を経て、図２に示すオーバーチャージ状態にする。
【００７７】
図６はメカシャッタ１２の実装形態を示す図である。４０１は先幕ヨーク４、先幕コイル５、後幕ヨーク８、後幕コイル９を保持するマグネット地板であり、シャッタ地板１に位置決めされ、締結・係合あるいは接着等により固定されている。４０２はシャッタ制御部４０が実装されたフレキシブルプリント基板である。先幕ヨーク４と先幕アマチャ３の吸着部近傍に温度を検出する先幕温度センサ４０３（第２の温度センサ）、後幕ヨーク８と後幕アマチャ７の吸着部近傍に温度を検出する後幕温度センサ４０４（第１の温度センサ）が実装されている。ここでは、先幕温度センサ４０３は先幕ヨーク４と先幕アマチャ３の吸着部近傍に配置したが、後幕ヨーク８と後幕アマチャ７の吸着部近傍以外の場所（例えば、光学ファインダ１０４の周辺）に配置されていれば、他の場所に配置されていても構わない。即ち、後幕温度センサ４０４（第１の温度センサ）は、後幕保持機構の温度を測定するために後幕保持機構から所定範囲内に配置する。一方、先幕温度センサ４０３は、後述するように後幕保持機構との温度の差を得るためのものであるため、後幕保持機構から所定範囲外に配置するようにする。その一例として、先幕温度センサ４０３先幕保持機構から所定範囲内に配置するようにしても良い。
【００７８】
なお、カメラ組立工程内のおける電子先幕調整時の先幕温度センサ４０３の出力値は、不揮発性メモリ５６に格納されている構成とする。
【００７９】
また、フレキシブルプリント基板４０２はシステム制御回路５０に接続されており、システム制御回路５０からの制御信号を受けてコイルへの通電開始、通電解除等の制御が行われる。なお、４０２はフレキシブルプリント基板に限るものではなく、ハード基板であっても構わない。
【００８０】
●動作
次に、上記構成を有する撮像システムの本実施の形態における動作、特に、撮影時のシャッタ制御について詳細に説明する。
【００８１】
上述したように、通知部５４や画像表示部２８に表示される設定画面から選択、設定できる撮影モードとして、通常撮影モード、電子先幕撮影モード、メカ先幕・メカ後幕モードを含む。通常撮影モードでは、被写体を光学ファインダ１０４により観察している状態で、メカシャッタ１２の先幕と後幕により露光時間の制御を行う。電子先幕撮影モードでは、被写体をＥＶＦを用いて観察している状態（ライブビューモード）で、電子先幕とメカ後幕により露光時間の制御を行う。メカ先幕・メカ後幕モードでは、被写体をＥＶＦを用いて観察している状態（ライブビューモード）で、メカシャッタ１２の先幕と後幕により露光時間の制御を行う。
【００８２】
●光学ファインダを用いた撮影
まず、光学ファインダを用いた通常撮影モード（第１の撮影モード）におけるメカシャッタ１２の動作について、図２〜図５、図７、図９を用いて説明する。図７は通常撮影モードにおけるメカシャッタ１２の制御に関する処理を示すフローチャートである。
【００８３】
通常撮影モードにおいては、シャッタスイッチ６２の全押しによりスイッチＳＷ２がＯＮされ、撮影が開始される前は、図２に示すオーバーチャージ状態に設定されている（ステップＳ１１）。ステップＳ１２において、シャッタスイッチ６２が押されたか（ここでは、スイッチＳＷ２がＯＮされたか）を判定する。スイッチＳＷ２がＯＮされていなければ、ステップＳ１２のシャッタスイッチ６２の判定を繰り返す。
【００８４】
スイッチＳＷ２がＯＮされた場合はステップＳ１３に進み、クイックリターンミラー１３０のアップ動作を行い、先幕コイル５、後幕コイル９への通電を開始するとともに、チャージレバー１０が反時計回りに回転する。すると、チャージレバー１０のカム部１０ｂ、１０ｃから、先幕チャージコロ２ｃ、後幕チャージコロ６ｃが離れ、図３に示す走行前待機状態へと移行する。図３の状態では、先幕アマチャ３と後幕アマチャ７が電磁的に吸着保持されているため、先幕駆動レバー２と後幕駆動レバー６は回転しない。
【００８５】
通電開始と同時に、システム制御回路５０は先幕温度センサ４０３と後幕温度センサ４０４からの出力を要求し、先幕温度センサ４０３と後幕温度センサ４０４から温度情報をそれぞれ取得する（ステップＳ１４）。
【００８６】
次にステップＳ１５に進み、システム制御回路５０は後幕温度センサ４０４からの温度Ｔａと先幕温度センサ４０３からの温度Ｔｓの温度差ΔＴ（＝Ｔａ−Ｔｓ）を演算する。次に、ステップＳ１６において、温度差ΔＴが所定の閾値Ｔｈ（例えば、５℃）より大きいかを判別する。そして、所定の閾値Ｔｈ（例えば、５℃）を超える場合は、ステップＳ１７に進み、システム制御回路５０は、測光制御部４６による測光結果に基づいて設定した露光時間（シャッタ秒時）Ｔ１に補正時間（ＣΔＴ、Ｃは温度補正係数）を加算する。即ち、補正後のシャッタ秒時＝Ｔ１＋ＣΔＴとなる。即ち、システム制御回路５０は調整手段として機能する。一方、ステップＳ１６において、温度差ΔＴが所定の閾値Ｔｈ（例えば、５℃）以下の場合には、シャッタ秒時Ｔ１をそのまま用いる（ステップＳ１８）。
【００８７】
ここで、温度差ΔＴの閾値Ｔｈは、先幕温度センサ４０３と後幕温度センサ４０４の測定精度を考慮した値とすることが望ましい。
【００８８】
そして、ステップＳ１７またはＳ１８により得られたシャッタ秒時により、先幕コイル５、後幕コイル９の通電を順次オフして、撮像素子１４を露光する（ステップＳ１９）。撮影が終了すると、チャージレバー１０が時計回りに回転し、カム部１０ｂ、１０ｃが先幕チャージコロ２ｃ、後幕チャージコロ６ｃを押す（チャージ動作）ことで、図２の状態に戻る（ステップＳ１１）。
【００８９】
図９は、ステップＳ１９で制御される先幕及び後幕の電圧制御タイムチャートを示す。
【００９０】
シャッタスイッチ６２のスイッチＳＷ２がＯＮされると、先幕コイル５と後幕コイル９の通電を開始してチャージレバー１０を解除する。これにより、メカシャッタ１２は図３に示す走行前待機状態となる。
【００９１】
温度差ΔＴが所定の閾値Ｔｈ（例えば、５℃）以下（閾値以下）の場合は、スイッチＳＷ２がＯＮしてから所定時間（以下、「シャッタゲタ」と呼ぶ。）設けて先幕コイル５の通電をオフする（図９中、「先幕コイル」の点線の立ち下がりタイミング）。これにより、メカシャッタ１２は図４に示す先幕走行完了状態となる。そして、先幕コイル５の通電オフからステップＳ１８で求めたシャッタ秒時Ｔ１が経過してから、後幕コイル９の通電をオフする。これにより、メカシャッタ１２は図５に示す後幕走行完了状態となる。
【００９２】
一方、温度差ΔＴが所定の閾値Ｔｈ（例えば、５℃）より大きい場合には、閾値Ｔｈ（例えば、５℃）以下の場合のシャッタゲタよりもＣΔＴ短いタイミングで、先幕コイル５の通電をオフする（図９中、「先幕コイル」の実線の立ち下がりタイミング）。これにより、メカシャッタ１２は図４に示す先幕走行完了状態となる。そして、先幕コイル５の通電オフから、ステップＳ１７で求めた補正後のシャッタ秒時Ｔ１＋ＣΔＴが経過してから、後幕コイル９の通電をオフする。これにより、メカシャッタ１２は図５に示す後幕走行完了状態となる。
【００９３】
●ＥＶＦを用いた撮影
次に、ＥＶＦを用いたライブビューモードにおけるメカシャッタ１２及び撮像素子１４の電子先幕の動作について、図２〜図５、図８、図１０、図１１を用いて説明する。ライブビューモードでは、電子先幕撮影モードとメカ先幕・メカ後幕モードとのいずれか設定されたモードにより、シャッタ制御される。図８はライブビューモードにおけるメカシャッタ１２及び撮像素子１４の電子先幕の制御に関する処理を示すフローチャートである。
【００９４】
図２に示すオーバーチャージ状態において操作部７０の一つであるライブビューモードボタンが押されると、図８の処理が開始される。先ず、ステップＳ２１においてクイックリターンミラー１３０のアップ動作を行い、先幕コイル５、後幕コイル９への通電を開始するとともに、チャージレバー１０が反時計回りに回転する。すると、チャージレバー１０のカム部１０ｂ、１０ｃから、先幕チャージコロ２ｃ、後幕チャージコロ６ｃが離れ、図３に示す走行前待機状態へと移行する。次に、先幕コイル５の通電をオフすることで先幕のみ走行することで、メカシャッタ１２は、撮像素子１４へ被写体光を導く状態（図４の先幕走行完了状態）になり、撮像素子１４が画像の取り込みを行うことで、ライブビュー動作を開始する。ライブビュー実行中は後幕コイル９の通電を継続して後幕を吸着保持し続ける。
【００９５】
次に、ステップＳ２２において、シャッタスイッチ６２が押されたか（ここでは、スイッチＳＷ２がＯＮされたか）を判定する。スイッチＳＷ２がＯＮされていなければ、ステップＳ２２のシャッタスイッチ６２の判定を繰り返す。
【００９６】
スイッチＳＷ２がＯＮされた場合はステップＳ２３に進み、電子先幕撮影モードが設定されているかどうかを判別する。電子先幕撮影モードに設定されていない（つまり、メカ先幕・メカ後幕撮影モードが設定されている）場合にはステップＳ２４に進み、後幕コイル９の通電をオフして後幕を走行させる。これにより、図５に示す後幕走行完了状態となる。次に、チャージレバー１０が時計回りに回転し、カム部１０ｂ、１０ｃが先幕チャージコロ２ｃ、後幕チャージコロ６ｃを押す（チャージ動作）ことで図２のオーバーチャージ状態に移行する。
【００９７】
チャージ動作が完了すると、ステップＳ２５において、先幕コイル５、後幕コイル９への通電を開始するとともに、チャージレバー１０が反時計回りに回転する。すると、チャージレバー１０のカム部１０ｂ、１０ｃから、先幕チャージコロ２ｃ、後幕チャージコロ６ｃが離れ、図３に示す走行前待機状態へと移行する。
【００９８】
通電開始と同時に、システム制御回路５０は先幕温度センサ４０３と後幕温度センサ４０４からの出力を要求し、先幕温度センサ４０３と後幕温度センサ４０４の温度情報を取得する（ステップＳ２６）。
【００９９】
次にステップＳ２７に進み、システム制御回路５０は先幕温度センサ４０３からの温度Ｔｓと後幕温度センサ４０４からの温度Ｔａの温度差ΔＴ（＝Ｔａ―Ｔｓ）を演算する。次に、ステップＳ２８において、温度差ΔＴが所定の閾値Ｔｈ（例えば、５℃）より大きいかを判別する。そして、所定の閾値Ｔｈ（例えば、５℃）を超える場合は、ステップＳ２９に進み、システム制御回路５０は、測光制御部４６による測光結果に基づいて設定した露光時間（シャッタ秒時）Ｔ１に補正時間（ＣΔＴ、Ｃは温度補正係数）を加算する。即ち、補正後のシャッタ秒時＝Ｔ１＋ＣΔＴとなる。一方、ステップＳ２８において、温度差ΔＴが所定の閾値Ｔｈ（例えば、５℃）以下の場合には、シャッタ秒時Ｔ１をそのまま用いる（ステップＳ３０）。
【０１００】
ここで、温度差ΔＴの閾値Ｔｈは、先幕温度センサ４０３と後幕温度センサ４０４の測定精度を考慮した値とすることが望ましい。
【０１０１】
そして、ステップＳ２９またはＳ３０により得られたシャッタ秒時により、先幕コイル５、後幕コイル９の通電を順次オフして、撮像素子１４を露光する（ステップＳ３１）。撮影が終了すると、上述した手順によりメカシャッタ１２を図４に示す先幕走行完了状態に制御して、ステップＳ２１に戻り、ライブビュー動作を継続する。
【０１０２】
一方、ステップＳ２３において、電子先幕撮影モードが選択されている場合には、ステップＳ４１に進む。ステップＳ４１では、システム制御回路５０は後幕温度センサ４０４からの出力と、不揮発性メモリ５６（ＥＥＰＲＯＭ）に格納されたカメラ組立工程内における電子先幕調整時の先幕温度情報を要求し、それぞれから温度情報を取得する。
【０１０３】
次にステップＳ４２に進み、システム制御回路５０は後幕温度センサ４０４からの温度Ｔａと電子先幕調整時の先幕温度センサ４０３からの温度Ｔｅｓの温度差ΔＴｅ（＝Ｔａ−Ｔｅｓ）を演算する。次に、ステップＳ４３において、温度差の絶対値｜ΔＴｅ｜が所定の閾値Ｔｈ（例えば、５℃）を超えるかどうかを判別する。所定の閾値Ｔｈ（例えば、５℃）より大きい場合は、ステップＳ４４に進み、システム制御回路５０は、測光制御部４６による測光結果に基づいて設定した露光時間（シャッタ秒時）Ｔ１に補正時間（ＣΔＴｅ、Ｃは温度補正係数）を加算する。即ち、補正後のシャッタ秒時＝Ｔ１＋ＣΔＴｅとなる。一方、ステップＳ４３において、温度差の絶対値｜ΔＴｅ｜が所定の閾値Ｔｈ（例えば、５℃）以下の場合には、シャッタ秒時Ｔ１をそのまま用いる（ステップＳ４５）。
【０１０４】
ここで、温度差ΔＴ及び温度差の絶対値｜ΔＴｅｓ｜の閾値Ｔｈは、先幕温度センサ４０３と後幕温度センサ４０４の測定精度を考慮した値とすることが望ましい。
【０１０５】
そして、ステップＳ４４またはＳ４５により得られたシャッタ秒時により、撮像素子１４をリセット氏（電子先幕）、後幕コイル９の通電をオフして、撮像素子１４を露光する（ステップＳ４６）。撮影が終了すると、上述した手順によりメカシャッタ１２を図４に示す先幕走行完了状態に制御して、ステップＳ２１に戻り、ライブビュー動作を継続する。
【０１０６】
図１０は、ステップＳ３１で制御されるメカシャッタ１２の先幕及び後幕の電圧制御タイムチャートを示す。ライブビュー状態（図４の先幕走行完了状態）においてシャッタスイッチ６２のスイッチＳＷ２がＯＮされると、後幕コイル９の通電をオフし、チャージ動作を行う。次に、先幕コイル５及び後幕コイル９の通電を開始して、チャージレバー１０を解除する。これにより、メカシャッタ１２は図３に示す走行前待機状態に移行する。
【０１０７】
温度差ΔＴが所定の閾値Ｔｈ（例えば、５℃）以下の場合は、スイッチＳＷ２がＯＮしてから所定時間（シャッタゲタ）設けて先幕コイル５の通電をオフする（図１０中、「先幕コイル」の点線の立ち下がりタイミング）。これにより、メカシャッタ１２は図４に示す先幕走行完了状態となる。そして、先幕コイル５の通電オフからさらにステップＳ３０で求めたシャッタ秒時Ｔ１が経過してから、後幕コイル９の通電をオフする。これにより、メカシャッタ１２は図５に示す後幕走行完了状態となる。
【０１０８】
一方、温度差ΔＴが所定の閾値Ｔｈ（例えば、５℃）より大きい場合には、閾値Ｔｈ（例えば、５℃）以下の場合のシャッタゲタよりもＣΔＴ短いタイミングで、先幕コイル５の通電をオフする（図１０中、「先幕コイル」の実線の立ち下がりタイミング）。これにより、メカシャッタ１２は図４に示す先幕走行完了状態となる。そして、先幕コイル５の通電オフからさらに補正後のシャッタ秒時Ｔ１＋ＣΔＴが経過してから、後幕コイル９の通電をオフする。これにより、メカシャッタ１２は図５に示す後幕走行完了状態となる。
【０１０９】
次に、チャージ動作を行って図２のオーバーチャージ状態にしてから、先幕コイル５、後幕コイル９の通電を開始して、チャージレバー１０を解除し（図３の走行前待機状態）、所定時間経過後に先幕コイル５の通電をオフして、図４の先幕走行完了状態に戻す。この状態で撮像素子１４が画像を取り込むことにより、ライブビュー動作が再開される。
【０１１０】
図１１はステップＳ４６で制御される電子先幕及びメカ後幕の電圧制御タイムチャートを示す。ライブビュー状態（図４の先幕走行完了状態）でシャッタスイッチ６２のスイッチＳＷ２がＯＮされると、温度差の絶対値｜ΔＴｅ｜が所定の閾値Ｔｈ（例えば、５℃）以下の場合は、スイッチＳＷ２がＯＮしてから所定時間（以下、「電子先幕ゲタ」と呼ぶ。）設けてから、撮像素子１４の画素のリセット走査（電子先幕の走行）を開始する（図１１中、「撮像素子」の点線の立ち下がりタイミング）。そして、電子先幕の走行開始からさらにステップＳ４５で求めたシャッタ秒時Ｔ１が経過してから、後幕コイル９の通電をオフする。これにより、メカシャッタ１２は図５に示す後幕走行完了状態となる。
【０１１１】
一方、温度差の絶対値｜ΔＴｅ｜が所定の閾値Ｔｈ（例えば、５℃）より大きい場合には、閾値Ｔｈ（例えば、５℃）以下の場合の電子先幕ゲタよりもＣΔＴｅ短いタイミングで、撮像素子１４のリセット走査（電子先幕の走行）を開始する。（図１１中、「撮像素子」の実線の立ち下がりタイミング）。そして、電子先幕の走行開始からさらにステップＳ４４で求めたシャッタ秒時Ｔ１＋ＣΔＴｅが経過してから、後幕コイル９の通電をオフする。これにより、メカシャッタ１２は図５に示す後幕走行完了状態となる。
【０１１２】
次に、チャージ動作を行って図２のオーバーチャージ状態にしてから、先幕コイル５、後幕コイル９の通電を開始して、チャージレバー１０を解除し（図３の走行前待機状態）、所定時間経過後に先幕コイル５の通電をオフして、図４の先幕走行完了状態に戻す。この状態で撮像素子１４が画像を取り込むことにより、ライブビュー動作が再開される。
【０１１３】
●温度差と補正量の関係
次に、温度差ΔＴ、ΔＴｅと補正量ＣΔＴ、ＣΔＴｅの関係について、図１２及び図１３を用いて説明する。
【０１１４】
図１２において、シャッタ秒時を補正するか否かを判断する、温度差ΔＴの閾値Ｔｈを５℃とすると、ΔＴ≦５℃の場合は、シャッタゲタの補正量ＣΔＴは０となる。一方、ΔＴ＞５℃の場合には、温度差ΔＴに比例してシャッタゲタの補正量ＣΔＴも変化する。
【０１１５】
また、図１３において、シャッタ秒時を補正するか否かを判断する、温度差ΔＴｅの閾値Ｔｈを５℃とすると、−５℃≦ΔＴｅ≦５℃の場合は、電子先幕ゲタの補正量ＣΔＴｅは０となる。一方、ΔＴｅ＜−５℃あるいはΔＴｅ＞５℃の場合には、温度差ΔＴｅに比例して電子先幕ゲタの補正量ＣΔＴｅも変化する。
【０１１６】
ここでは、補正量ＣΔＴ及びＣΔＴｅの値には特に制限を設けていないが、シャッタゲタの補正量ＣΔＴに上限値、電子先幕ゲタの補正量ＣΔＴｅに上限値・下限値を設けても良い。
【０１１７】
●先幕及び後幕の温度と補正量の関係
次に、ライブビュー実行時及び解除後の先幕コイル５と後幕コイル９の温度、ゲタの補正量について図１４〜図１６を用いて説明する。
【０１１８】
図１４はライブビュー実行中及びライブビュー解除後（後幕通電オフ後）の先幕温度センサ４０３の温度Ｔｓ、後幕温度センサ４０４の温度Ｔａ、後幕温度センサ４０４と先幕温度センサ４０３の温度差ΔＴ（＝Ｔａ−Ｔｓ）の変化の様子を示す。ライブビュー実行中はライブビュー継続時間（後幕通電時間）の増加に伴い、後幕温度センサ４０４の温度Ｔａは大きく上昇している。ライブビュー実行中は、先幕コイル５への通電はオフされているため、先幕温度センサ４０３の温度Ｔｓは後幕温度センサ４０４の温度Ｔａと比較して温度上昇の割合が小さく、あまり変化していない。したがって、後幕温度センサ４０４と先幕温度センサ４０３の温度差ΔＴ（＝Ｔａ−Ｔｓ）は、ライブビュー継続時間（後幕通電時間）の増加に伴い、大きく上昇している。
【０１１９】
一方、ライブビュー解除後に関しては、ライブビュー解除（後幕通電オフからの経過時間）から時間が経過していくにつれて、先幕温度センサ４０３の温度Ｔｓと後幕温度センサ４０４の温度Ｔａが共に下降していく。これに応じて、後幕温度センサ４０４と先幕温度センサ４０３の温度差ΔＴも下降している。
【０１２０】
図１５はライブビュー実行中及びライブビュー解除後（後幕通電オフ後）のシャッタゲタの補正量ＣΔＴの変化の様子を示す。ライブビュー実行中はライブビュー継続時間（後幕通電時間）の増加に伴い、シャッタゲタの補正量ＣΔＴの値が増加する。ライブビュー解除後はライブビュー解除からの経過時間（後幕通電オフからの経過時間）の増加に伴い、シャッタゲタの補正量ＣΔＴの値は減少する。
【０１２１】
また、図１６はライブビュー実行中及びライブビュー解除後（後幕通電オフ後）の後幕温度センサ４０４の温度Ｔａと電子先幕調整時の先幕温度Ｔｅｓとの温度差ΔＴｅ（＝Ｔａ−Ｔｅｓ）と、電子先幕ゲタの補正量ＣΔＴｅの変化の様子を示す。ここで、電子先幕調整時の先幕温度Ｔｅｓ（＝２３℃）とする。
【０１２２】
各環境下において、ライブビュー実行中はライブビュー継続時間（後幕通電時間）の増加に伴い、後幕温度センサ４０４の温度Ｔａは大きく上昇している。したがって、後幕温度センサ４０４と電子先幕調整時の先幕温度Ｔｅｓの温度差ΔＴｅ（＝Ｔａ−Ｔｅｓ）もライブビュー継続時間（後幕通電時間）の増加に伴い大きく上昇している。
【０１２３】
また、−２０℃下においては、ライブビュー実行中においても後幕温度センサ４０４の温度Ｔａが電子先幕調整時の先幕温度Ｔｅｓ（＝２３℃）を越えないため、常に負の値となる。したがって、電子先幕ゲタの補正量ＣΔＴｅも負の値となるため、電子先幕の制御時には電子先幕ゲタに電子先幕ゲタの補正量ＣΔＴｅを加算するような制御を行うことになる。
【０１２４】
各環境下において、ライブビュー解除後はライブビュー解除からの経過時間（後幕通電オフからの経過時間）の増加に伴い、電子先幕ゲタの補正量ＣΔＴｅの値は減少する。
【０１２５】
ただし、図１４〜図１６は、ライブビュー解除後（後幕通電オフ後）はライブビュー動作を一切行わない状態での変化を示している。
【０１２６】
ライブビュー状態が長く続くと（あるいは長秒時撮影では）、図１４及び図１６に示すようにライブビュー継続時間の増加に伴って後幕コイル９の温度が上昇し、後幕コイル９の抵抗が上昇する。抵抗が上昇すると、後幕コイル９に流れる電流が減少するため、後幕アマチャ７と後幕ヨーク８が離反するタイムラグが早くなる。一方、先幕コイル５には通電していないため、先幕コイル５の温度はあまり上昇せず、先幕アマチャ３と先幕ヨーク４が離反するタイムラグは、環境温度が一定であればほとんど変化しない。したがって、実際の露光時間は短くなる。そこで、図１２のように後幕温度センサ４０４の温度Ｔａと、先幕温度センサ４０３の温度Ｔｓとの温度差ΔＴの変化に対応して、シャッタのゲタ補正量ＣΔＴを決定する。これにより、環境温度に関わらず、ライブビューなどの長時間開口後に精度の高い露出制御を行うことが可能となる。
【０１２７】
また、電子先幕撮影モードによる撮影においては、電子先幕の走行開始（撮像素子１４の画素のリセット開始タイミング）は環境温度によらず一定である。そのため、露出精度は後幕アマチャ７と後幕ヨーク８が離反するタイムラグの変化に依存する。そこで、電子先幕撮影モードによる撮影時には、図１３のように後幕温度センサ４０４の温度Ｔａと、電子先幕調整時の先幕温度センサ４０３の温度Ｔｅｓの温度差ΔＴｅ（＝Ｔａ−Ｔｅｓ）の変化に対応して、電子先幕ゲタの補正量ＣΔＴｅを決定する。これにより、環境温度に関わらず、ライブビューなどの長時間開口後に精度の高い露出制御を行うことが可能となる。
【０１２８】
また、メカシャッタ（先幕、後幕）による撮影と、電子先幕撮影モードによる撮影（電子先幕、メカ後幕）とを判別して補正量を変更することにより、それぞれの露出変化に応じて適切な補正を行うことが可能となる。
【０１２９】
また、温度差ΔＴ、ΔＴｅに閾値を設けることにより、先幕温度センサ４０３と後幕温度センサ４０４の測定精度のバラツキにより制御時間（ゲタ）に補正がかかることを防止することが可能となる。
【０１３０】
なお、本実施の形態においては、シャッタの制御時間（シャッタゲタ）の補正を行うことによって露光時間の制御を行ったが、本発明はこれに限るものではない。例えば、シャッタ秒時は変更せずに撮像した画像の現像時に、画像処理回路２０によってシャッタのシャッタ秒時の補正量に相当するように、ゲイン補正のゲイン値を調整する構成としても構わない。また、本実施の形態においては温度補正係数Ｃを一定としているが、先幕温度センサ４０３の温度によって変更するようにしても構わない。
【０１３１】
また、上記実施の形態においては、メカシャッタ１２が先幕及び後幕を共に有し、メカ先幕を利用するか、電子先幕を利用するかを選択可能としたが、本発明はこれに限るものではない。メカシャッタ１２が後幕のみを有し、常に電子先幕を用いる構成にすることも勿論可能である。
【図面の簡単な説明】
【０１３２】
【図１】本発明の実施の形態における撮像装置の構成を示すブロック図である。
【図２】本発明の実施の形態におけるフォーカルプレーンシャッタのチャージ完了状態を示す平面図である。
【図３】本発明の実施の形態におけるフォーカルプレーンシャッタの走行前待機状態を示す平面図である。
【図４】本発明の実施の形態におけるフォーカルプレーンシャッタの先幕走行完了状態を示す平面図である。
【図５】本発明の実施の形態におけるフォーカルプレーンシャッタの後幕走行完了状態を示す平面図である。
【図６】本発明の実施の形態におけるフォーカルプレーンシャッタの実装形態を示す平面図である。
【図７】本発明の実施の形態におけるフォーカルプレーンシャッタの通常撮影モードにおけるシャッタ制御動作を示すフローチャートである。
【図８】本発明の実施の形態におけるフォーカルプレーンシャッタのライブビューモードにおけるシャッタ制御動作を示すフローチャートである。
【図９】本発明の実施の形態におけるフォーカルプレーンシャッタの通常撮影モードにおけるメカ先幕、メカ後幕の電圧制御を示すタイムチャートである。
【図１０】本発明の実施形態のフォーカルプレーンシャッタのライブビューモードにおけるメカ先幕、メカ後幕の電圧制御を示すタイムチャートである。
【図１１】本発明の実施の形態におけるフォーカルプレーンシャッタのライブビューモードにおけるメカ先幕、メカ後幕の電圧制御及び撮像素子（電子先幕）の制御を示すタイムチャートである。
【図１２】本発明の実施の形態におけるフォーカルプレーンシャッタの温度差ΔＴとメカシャッタの制御時間の補正量ＣΔＴとの関係を示すグラフである。
【図１３】本発明の実施の形態におけるフォーカルプレーンシャッタの温度差ΔＴｅと電子先幕撮影時の制御時間の補正量ＣΔＴｅとの関係を示すグラフである。
【図１４】本発明の実施の形態におけるフォーカルプレーンシャッタのライブビュー開始からの経過時間に伴う先幕温度Ｔｓ、後幕温度Ｔａ、温度差ΔＴの変化を示すグラフである。
【図１５】本発明の実施の形態におけるフォーカルプレーンシャッタのライブビュー開始からの経過時間に伴う制御時間の補正量ＣΔＴの変化を示すグラフである。
【図１６】本発明の実施の形態のフォーカルプレーンシャッタのライブビュー開始からの経過時間に伴う後幕温度Ｔａ、温度差ΔＴｅ、制御時間の補正量ＣΔＴｅの各環境温度における変化を示すグラフである。
【符号の説明】
【０１３３】
１：シャッタ地板、１ａ：アパーチャ、１ｂ：先幕軸、１ｃ：先幕溝部、１ｄ：後幕軸、１ｅ：後幕溝部、１ｆ：チャージレバー軸、２：先幕駆動レバー、２ａ：先幕羽根群、２ｂ：先幕アマチャ支持部、２ｃ：先幕チャージコロ、３：先幕アマチャ、３ａ：先幕アマチャ軸、３ｂ：先幕衝撃吸収ゴム、４：先幕ヨーク、５：先幕コイル、６：後幕駆動レバー、６ａ：後幕羽根群、６ｂ：後幕アマチャ支持部、６ｃ：後幕チャージコロ、７：後幕アマチャ、７ａ：後幕アマチャ軸、７ｂ：後幕衝撃吸収ゴム、８：後幕ヨーク、９：後幕コイル、１０：チャージレバー、１０ａ：チャージピン、１０ｂ、１０ｃ：カム部、１２：メカシャッタ、１４：撮像素子、１６：Ａ／Ｄ変換器、１８：タイミング発生回路、２０：画像処理回路、２２：メモリ制御回路、２４：画像表示メモリ、２６：Ｄ／Ａ変換器、２８：画像表示部、３０：メモリ、３２：圧縮伸長回路、４０：シャッタ制御部、４２：焦点調節部、４６：測光制御部、４８：フラッシュ、５０：システム制御回路、５２：メモリ、５４：通知部、５６：不揮発性メモリ、６０：モードダイアルスイッチ、６２：シャッタスイッチ、７０：操作部、７２：電源スイッチ、８０：電源制御部、８２、８４：接点、８６：電源、９０、９４：Ｉ／Ｆ、９２、９６：コネクタ、１００：カメラ本体、１０４：光学ファインダ、１０６：カメラマウント、１１０：Ｉ／Ｆ、１１２：コネクタ、１２２、３２２：信号接点、１２４：レンズ着脱検知回路、１３０、１３２：ミラー、２００、２１０：記録媒体、２０２、２１２：記録部、２０４、２１４：Ｉ／Ｆ、２０６、２１６：コネクタ、３００：レンズユニット、３０６：レンズマウント、３１０：光学レンズ、３１２：絞り、３２０：Ｉ／Ｆ、３４０：絞り制御部、３４２：フォーカス制御部、３５０：レンズシステム制御回路、４０１：マグネット地板、４０２：フレキシブルプリント基板、４０３：先幕温度センサ、４０４：後幕温度センサ
【図１】
2008271133.tif 000003
【図２】
2008271133.tif 000004
【図３】
2008271133.tif 000005
【図４】
2008271133.tif 000006
【図５】
2008271133.tif 000007
【図６】
2008271133.tif 000008
【図７】
2008271133.tif 000009
【図８】
2008271133.tif 000010
【図９】
2008271133.tif 000011
【図１０】
2008271133.tif 000012
【図１１】
2008271133.tif 000013
【図１２】
2008271133.tif 000014
【図１３】
2008271133.tif 000015
【図１４】
2008271133.tif 000016
【図１５】
2008271133.tif 000017
【図１６】
2008271133.tif 000018